(57)【要約】【課題】犬や猫等のペットが食しても安全で、しかも低価格なナメクジ捕獲器が求められていた。【解決手段】ナメクジ２４の進入可能な大きさの入口を有する容器２２と、この容器２２内に収納される香持餌２３とから成り、香持餌２３はナメクジ２４が嗜好する植物を乾燥させるとともに粉砕して形成されたものである。これにより、所期の目的を達成することができる。【選択図】図１
2012005473.tif 000002
【特許請求の範囲】
【請求項１】
ナメクジの進入可能な大きさの入口を有する容器と、この容器内に収納される香持餌とから成り、前記香持餌は前記ナメクジが嗜好する植物を乾燥させるとともに粉砕して形成されたナメクジ捕獲器。
【請求項２】
容器には蓋が被せられた請求項１に記載のナメクジ捕獲器。
【請求項３】
ナメクジの進入可能な大きさの網目を有する袋と、この袋内に収納されるとともに前記網目より大形の香持餌とから成り、前記香持餌は前記ナメクジが嗜好する植物の小片を乾燥して形成されたナメクジ捕獲器。
【請求項４】
ナメクジが嗜好する植物を小片に分割する第１の工程と、この第１の工程の後で前記小片に分割された植物を乾燥させて乾燥物にする第２の工程と、この第２の工程の後で前記乾燥物を粉砕して粉砕物にする第３の工程と、この第３の工程の後で前記粉砕物をナメクジの進入可能な大きさの入口を有する容器に収納する第４の工程とを有するナメクジ捕獲器の製造方法。
【請求項５】
ナメクジが嗜好する植物を小片に分割する第１の工程と、この第１の工程の後で前記小片に分割された前記植物を乾燥させて乾燥物にする第２の工程と、この第２の工程の後で前記乾燥物を網目を有する袋に収納する第３の工程とを有するナメクジ捕獲器の製造方法。
【発明の詳細な説明】
【技術分野】  本発明は、ナメクジを捕獲するナメクジ捕獲器とその製造方法に関するものである。
【背景技術】  以下、従来のナメクジ捕獲器１について説明する。従来のナメクジ捕獲器１は図１１に示すように、凹部２を有する容器３と、この容器３内に載置された香持餌４と、前記容器３の上方に被せられた蓋５とで構成されていた。この香持餌４は、ナメクジの嗜好する匂いを発散させてナメクジを誘引するものである。この香持餌４はナメクジにとっての毒物を含んでおり、そのためこの毒物を食したナメクジは動けなくなり捕獲される訳である。
従って、このナメクジ捕獲器１を野菜畑等ナメクジの通路に載置しておけば、ナメクジは香持餌４の発する匂いに誘われて、凹部２を形成する入口２ａから入り香持餌４を食する。ここで、香持餌４にはナメクジにとっての毒物が含まれているので、この毒物を舐めたナメクジは動けなくなり捕獲されることになる。
ところが、このようなナメクジ捕獲器１では、ナメクジ捕獲器１の設置場所によっては犬や猫等のペットが誤って食することがあった。そこで、図１２に示すように、犬や猫等のペットに害が及ばないようナメクジの嗜好する植物等で作られた香持餌６が収納されたナメクジ捕獲器７が考案された。このナメクジ捕獲器７は、箱型の容器８と、この容器８の一方に連結されるとともに、ナメクジの入口９ａを有するナメクジの誘導路９と、この誘導路９に連結されるとともに容器８の内部へ突出した水平路１０と、この水平路１０の先端にさらに連結された誘い落し１１と、容器８の他方に設けられた餌台１２と、この餌台１２内に収納された香持餌６と、餌台１２の誘い落し１１側に設けられた通気孔１２ａと、誘い落し１１の下方に設けられた溜池１４と、この溜池１４に満たされた水１５と、容器８の上方を封止する蓋１６とで構成されていた。
餌台１２内に収納された香持餌６の発する匂いは、通気孔１２ａを介して容器８内を通過し、誘導路９及び入口９ａを介して外部へ流出する。この入口９ａから流出した匂いに誘われたナメクジ１７は、入口９ａから誘導路９を上り、水平路１０を通過し更に誘い落し１１へ達する。誘い落し１１へ達したナメクジ１７は更に進む。ところがこの誘い落し１１は途中で切断されているので、結局溜池１４へ落下することになる。このようにして、ナメクジ１７は捕獲される。このナメクジ捕獲器７で使用する香持餌６は、犬や猫等のペットが例え食したとしても安全な植物等で作られている。従って、犬や猫等が誤って食したとしても安全なものである。
【先行技術文献】
この出願の発明に関連する先行技術文献情報としては、例えば、特許文献１、特許文献２が知られている。
【特許文献１】  実開平３−７４２８２号公報
【特許文献２】  特開２００２−２７８８８号公報
【発明の概要】
【発明が解決しようとする課題】  しかしながらこのような従来のナメクジ捕獲器においては、以下のような課題があった。即ち、図１１に示すナメクジ捕獲器１においては、香持餌４が犬や猫等が誤って食する可能性を有していた。また、図１２に示すナメクジ捕獲器７においては、容器８、入口９ａを有する誘導路９、水平路１０、誘い落し１１、餌台１２、香持餌６、溜池１４、蓋１６等々と大変複雑な構成となっており、その結果どうしても高価なものとなっていた。
そこで本発明は、このような問題点を解決したもので、例え、犬や猫等のペットが食したとしても安全で、しかも低価格のナメクジ捕獲器を提供することを目的としたものである。
【課題を解決するための手段】  この目的を達成するために本発明のナメクジ捕獲器は、ナメクジの進入可能な大きさの入口を有する容器と、この容器内に収納される香持餌とから成り、前記香持餌は前記ナメクジが嗜好する植物を乾燥させるとともに粉砕して形成されたものである。これにより、所期の目的を達成することができる。
【発明の効果】  以上のように本発明によれば、香持餌は植物で形成されているので、例え、犬や猫等のペットが誤って食したとしても無害であり安全である。また、その構成は、容器と、この容器に収納された香持餌のみで完結する簡易な構成であり、結果として低価格のナメクジ捕獲器を実現することができるものである。
また、香持餌は乾燥されているので、長期間の保存に対しても品質が劣化することは少なく長持ちするものである。更に、香持餌は乾燥させた植物を粉末状にしたものであるので、この粉末がナメクジの体表面に付着し、ナメクジは動けなくなる。従って、捕獲したナメクジが逃げ出すことはない。
更にまた、植物として野菜を用い、その野菜の表面や芯を構成する一般的に廃材と言われるものでも使用することができる。従って、低価格の香持餌の製造が可能であるとともに、このような廃材を用いることにより更なる低価格の香持餌を提供することができる。
【図面の簡単な説明】
【図１】  本発明の実施の形態１におけるナメクジ捕獲器の斜視図
【図２】  同、実施の形態２におけるナメクジ捕獲器の斜視図
【図３】  同、実施の形態３におけるナメクジ捕獲器の組立斜視図
【図４】  同、ナメクジ捕獲器の状態斜視図  （ａ）は同、第１の状態におけるナメクジ捕獲器の状態斜視図  （ｂ）は同、第２の状態におけるナメクジ捕獲器の状態斜視図
【図５】  同、実施の形態４におけるナメクジ捕獲器の要部展開図  （ａ）は同、第１の状態におけるナメクジ捕獲器の要部展開図  （ｂ）は同、第２の状態におけるナメクジ捕獲器の要部展開図  （ｃ）は同、第３の状態におけるナメクジ捕獲器の要部展開図
【図６】  同、実施の形態５におけるナメクジ捕獲器の斜視図
【図７】  同、実施の形態６におけるナメクジ捕獲器の斜視図
【図８】  同、実施の形態７におけるナメクジ捕獲器の製造方法のフローチャート
【図９】  同、実施の形態８におけるナメクジ捕獲器の設置説明図
【図１０】  同、実施の形態９におけるナメクジ捕獲器の設置説明図
【図１１】  従来の第１の例を示すナメクジ捕獲器の側面図
【図１２】  同、第２の例を示すナメクジ捕獲器の断面図
【発明を実施するための形態】
（実施の形態１）
図１は、実施の形態１におけるナメクジ捕獲器２１の斜視図である。このナメクジ捕獲器２１は、上方が開口２２ａした直方体の容器２２内に香持餌２３が収納されたものである。本実施の形態における容器２２は、縦寸法１２ｃｍ、横寸法１７ｃｍ、高さ寸法３ｃｍの発砲スチロールで形成されている。なお、容器２２の大きさや材質はこれに限ることはなく、異なるものであっても良い。本実施の形態においては、スーパーマーケット等で食品を収納する容器で代用しており、低価格の容器２２を実現している。容器２２の開口２２ａはナメクジ２４の入口にもなっている。
香持餌２３は、乾燥した植物の粉末であり、本実施の形態では、ナメクジ２４が嗜好する香持餌２３としてナメクジが嗜好するキャベツの乾燥粉末を用いている。香持餌２３としては、この他に白菜、なす等ナメクジ２４が好むとともに人畜にとって無害な植物であれば何であっても良い。香持餌２３の粉末は直径０．２ｍｍ〜１．０ｍｍ程度のものを用いている。
また、一般に食用としては廃棄されるキャベツの外側を形成する葉や、キャベツの芯等を使用することもできる。従って、このような材質を用いることにより更なる低価格の香持餌２３を得ることができる。また、廃棄する野菜を活用することになるので、ゴミの排出も減り、地球環境に優しい製品となる。
以上のように構成されたナメクジ捕獲器２１をナメクジ２４の通り道に載置しておく。すると、香持餌２３の匂いに誘引されたナメクジ２４が開口２２ａ（ナメクジの入口）から容器２２の中へ侵入する。そうして香持餌２３を食する。香持餌２３を食しているうちに粉末状の香持餌２３がナメクジ２４のねばねばした体表面に付着する。そうすると、ナメクジ２４ａは動けなくなり捕獲される。捕獲されたナメクジ２４ａは遂には死ぬことになる。
以上説明したように、本実施の形態におけるナメクジ捕獲器２１の香持餌２３は、植物で形成されているので、例え、犬や猫等のペットが誤って食したとしても無害であり安全である。また、その構成は、容器２２と、この容器２２に収納された香持餌２３のみの簡易な構成となり、その結果として低価格のナメクジ捕獲器２１を実現することができる。
また、香持餌２３は乾燥されているので、長期間の保存にも品質が劣化することはなく長持ちするものである。更に、香持餌２３は乾燥させたキャベツを粉末状にしたものであるので、この粉末がナメクジ２４の体表面に付着し、ナメクジ２４は動けなくなる。従って、捕獲したナメクジ２４が逃げ出すことはない。
更にまた、一般的に廃材と言われる野菜（植物）の表面や芯を使用することができ、低価格の香持餌２３が製造可能であるとともに、このような廃材を用いることにより地球環境に優しいものであるとともに更なる低価格の香持餌を提供することができる。
（実施の形態２）
図２は、実施の形態２におけるナメクジ捕獲器２５（実施の形態１におけるナメクジ捕獲器２１該当）の斜視図である。実施の形態２において、実施の形態１と同じ物については同符号を付し、説明を簡略化している。また、実施の形態１と同様の効果を奏する構成についても、その効果は特に断らない限り簡略化している。なお、これは以降の実施の形態に関しても同様である。
図２において、２６は、上方が開口するとともに直方体形状をした容器であり、この容器２６内には香持餌２３が収納されている。２７は、容器２６に被せられる蓋である。この蓋２７の側面２７ａには、ナメクジ２４が進入する孔２７ｂが形成されている。蓋２７の側面２７ａの高さ寸法２７ｃは、容器２６の側面２６ａを形成する高さ寸法２６ｃより大きくしている。これは、蓋２７を容器２６に被せたときに、孔２７ｂが露出してナメクジ２４の進入を可能にするためである。
本実施の形態を構成する蓋２７の材質は、透明である必要はないが、透明にしておけば外から容易にナメクジ２４の確認を行うことができる。また、本実施の形態におけるナメクジ捕獲器２５は、蓋２７を有しているので、雨等が入って内部が湿ることはなく、香持餌２３を高品質に保つことができる。
（実施の形態３）
図３は、実施の形態３におけるナメクジ捕獲器３１（実施の形態１におけるナメクジ捕獲器２１に該当）の組立斜視図である。
図３において、３２は円筒形をするとともに上方が開口した直径１０ｃｍの容器であり、この容器３２内に香持餌２３が収納されている。３２ａは、容器３２の側面３２ｂに設けられた孔（ナメクジの入口）であり、この孔３２ａを介してナメクジ２４が進入するものである。この孔３２ａは約５ｍｍの直径を有しており、等間隔に８個（複数個）設けられている。
３３は、容器３２に嵌合する円筒形の蓋である。３３ａは、蓋３３の側面３３ｂに設けられた孔（ナメクジの入口）であり、この孔３３ａを介してナメクジ２４が進入するものである。この孔３３ａも約５ｍｍの直径を有しており、等間隔に８個（複数個）設けられている。
以上のように構成された蓋３３を矢印３４ａ方向に垂下させて容器３２に嵌合させる。このとき、図４（ａ）に示すように、容器３２に形成された孔３２ａと、蓋３３に形成された孔３３ａとが丁度一致すると、孔３２ａと孔３３ａとが重なって、ナメクジ捕獲器３１の外部と内部とが貫通することになる。従って、この貫通した孔３２ａ，３３ａを通って、ナメクジ２４が容器３２内へ入り香持餌２３を食することができる。
次に、図４（ｂ）に示すように、蓋３３を矢印３４ｂ方向へ回転させることにより、容器３２に形成された孔３２ａは蓋３３を形成する側面３３ｂによって封鎖される。また、蓋３３に形成された孔３３ａも容器３２を形成する側面３２ｂによって封鎖される。このことにより、孔３２ａと孔３３ａとは夫々封鎖されるので、ナメクジ捕獲器３１の外部と内部とが遮断される。従って、容器３２内は外部と遮断され、香持餌２３は湿気等から保護される。
以上説明したように、本実施の形態におけるナメクジ捕獲器３１は、ナメクジ２４の進入する孔３２ａ、３３ａの封鎖・解放が自在にできるものである。この構成により、使用時には孔３２ａ、３３ａを開口し、保管時等においては孔３２ａと孔３３ａを封鎖することができる。従って、保管等において香持餌２３の外部への流出や、香持餌２３の湿気等からの保護をすることができる。
（実施の形態４）
図５は、実施の形態４におけるナメクジ捕獲器４１（実施の形態３におけるナメクジ捕獲器３１に該当）の要部展開図である。このナメクジ捕獲器４１は、容器４２（図示せず）と蓋４３（図示せず）に形成されるとともにナメクジが進入する入口となる孔４４、４５の数を実質的に調整することができるものである。このナメクジ捕獲器４１の外形は、ナメクジ捕獲器３１に示すように円筒形である。実施の形態３に比べてナメクジ２４が進入する孔４４，４５の配置が異なる。
即ち、図５に示すように、容器４２の側面４２ａに形成された孔４４（４４ａ、４４ｂ，４４ｃ，４４ｄ，４４ｅ）は、側面４２ａの（図面における）横方向の半分以下の場所に限定されて、等間隔に５個（複数個）設けられている。同様に、蓋４３の側面４３ａに形成された孔４５（４５ａ、４５ｂ，４５ｃ，４５ｄ，４５ｅ）も、側面４３ａの（図面における）横方向の半分以下の場所に限定されて、孔４４と同じピッチで等間隔に５個（複数個）設けられている。
図５（ａ）は、第１の状態におけるナメクジ捕獲器４１の要部（側面４２ａ、４３ａ）展開図である。この第１の状態においては、容器４２に形成された孔４４と、蓋４３に形成された孔４５が全て対応していない状態である。この状態においては、ナメクジ２４の入口となる孔４４，４５が全て側面４３ａ、４２ａで封鎖されることになるので、ナメクジ捕獲器４１の外部と内部とは遮断された状態となる。
この状態から、図５（ｂ）に示すように、蓋４３を矢印４６ａ方向に回転させると、容器４２に形成された孔４４と、蓋４３に形成された孔４５が部分的に対応した状態が形成される。即ち、図５（ｂ）に示す状態では、容器４２に形成された孔４４のうち孔４４ｃ、４４ｄ、４４ｅが、蓋４３に形成された孔４５のうち孔４５ａ、４５ｂ、４５ｃと夫々対応した位置にある。即ち、この状態ではナメクジ捕獲器４１において、内部と外部とが連通する孔は３個となる。このように、蓋４３を矢印４６ａの方向へ回転させる回転角によって、内部と外部とを連通する孔の数が、０個又は１個から５個まで任意に調整することができる。
図５（ｃ）は、容器４２に形成された孔４４ａ、４４ｂ、４４ｃ、４４ｄ、４４ｅと、蓋４３に形成された孔４５ａ、４５ｂ、４５ｃ、４５ｄ，４５ｅとが夫々対応している。即ち、この状態ではナメクジ捕獲器４１において、内部と外部とが連通する孔４４，４５は全て対応することになる。
このように、本実施の形態においては、ナメクジ２４が進入する孔（入口）の数を適宜調整することができる。従って、天候（湿度）の状態やナメクジ２４の通り道の広狭等に応じて、最適な入口の数に調整することができる。
（実施の形態５）
図６は、実施の形態５におけるナメクジ捕獲器５１の斜視図である。図６において、５２は網で形成された袋であり、この袋５２内には、ナメクジ２４が好む香持餌５３が収納されている。この香持餌５３は、実施の形態１で説明した香持餌２３と成分は同じであるが、その大きさにおいて異なる。即ち、袋５２の網目からこぼれない大きさにしている。本実施の形態では、１ｃｍ〜１０ｃｍ程度の乾燥野菜の小片を用いている。この香持餌５３は、実施の形態１と同様にキャベツを用いているがナメクジ２４が好むものなら他の植物であっても良い。
袋５２は、１１ｃｍ×１３ｃｍの寸法を有するとともに、柔軟性を有したナイロンで形成されている。この袋５２を形成する網目（ナメクジの入口でもある）は、ナメクジ２４が容易に進入できるとともに、香持餌５３が流出しない大きさの網目の袋であれば良く、本実施の形態では、約３ｍｍ四方の網目のものを用いている。
袋５２は、１３ｃｍ×２２ｃｍの網を半分に折って、香持餌５３を挿入した後、縁を糸５４で係止して形成している。５５は、保管等に便利なように袋５２に装着された輪である。
以上のように構成されたナメクジ捕獲器５１をナメクジ２４の通り道に載置しておく。ナメクジ２４は、香持餌５３の匂いに誘引されてナメクジ捕獲器５１に集まってくる。ナメクジ捕獲器５１に集まってきたナメクジ２４は網目（ナメクジの入口）をくぐり香持餌５３を食する。このようにして、多くのナメクジ２４が袋５２内に入る。ナメクジ２４がたくさん入った状態で、ナメクジ２４をナメクジ捕獲器５１ごと捕獲して廃棄する。
以上、説明したように、本実施の形態におけるナメクジ捕獲器５１は、柔軟性を有する袋５２を用いているので、狭いところ（台所の隙間等）にも設置することができる。即ち、設置場所の自由度が大きいものである。また、保管場所においても曲げて狭いところへ挿入しておくことができる。要するに、設置においても保管においても場所の自由度が大きいという特徴を有している。なお、実施の形態１で説明した粉末とした香持餌２３とは異なるので、ナメクジ２４の体に香持餌５３が付着してナメクジ２４が動けなくなるということはない。
（実施の形態６）
図７は、実施の形態６におけるナメクジ捕獲器６１の斜視図である。このナメクジ捕獲器６１は、実施の形態５で説明したナメクジ捕獲器５１を５個（複数個）連結部６２で連結したものである。従って、この連結部６２で適宜切断することにより、任意の大きさのナメクジ捕獲器６１を実現することができる。なお、ナメクジ捕獲器６１として、実施の形態５で用いた袋５２の５個分の大きさを有する袋６３を用意し、この袋６３に香持餌５３を挿入し、その後、連結部６２を形成しても良い。
即ち、野菜畑のような広い場所では、大きなナメクジ捕獲器６１として使用することにより、能率良くナメクジ２４を捕獲することができる。また、家庭内のような狭い場所では、小さなナメクジ捕獲器６１（又はナメクジ捕獲器５１）として使用することができるので、大きな場所を占有することなくナメクジ２４を捕獲することができる。
（実施の形態７）
図８は、実施の形態７におけるナメクジ捕獲器の製造方法のフローチャートである。先ず、図８においてステップ７１では、ナメクジ２４の嗜好する植物を用いる。本実施の形態では、植物として野菜（キャベツ、白菜、なす等）７７を用いている。この野菜７７は、人間が食する所謂良品である必要はなく、食用としては廃棄されるようなものや、規格外野菜であっても良い。
次に、ステップ７２では、この野菜７７を乾燥させ易いように小片（１ｃｍ以上）７７ａに分割する。そして、ステップ７３においては、この分割された野菜７７の小片７７ａを天日で乾燥させる。天日で乾燥させるのは、匂いを強くするためと、クリーンなエネルギーを使うことによる地球環境に優しい製品を実現するためである。もちろん、他のエネルギーを用いても良い。この場合、低温減圧で乾燥させればエネルギーは少なくて良い。
ここまでは、ナメクジ捕獲器２１，２５，３１，４１、５１、６１共通の製造方法である。先ず、ナメクジ捕獲器２１，２５，３１，４１の製造方法について説明する。
ステップ７３で乾燥された小片７７ａは、ステップ７４で粉末７７ｂにされる。この粉末７７ｂの直径は、０．２ｍｍ〜１．０ｍｍ程度にすることが好ましい。この大きさにすることにより、効率良くナメクジ２４の体に付着して、ナメクジ２４の動きを停止させることができる。即ち、ナメクジ２４が逃げ出しを防止することができる。
このように粉砕された野菜７７の粉末７７ｂは香持餌２３となり、実施の形態１〜４に説明したナメクジ捕獲器２１，２５、３１，４１の香持餌２３となる。この香持餌２３はステップ７５において、容器２２（２６、３２、４２を含む）へ収納される。
次に、ナメクジ捕獲器５１，６１の製造方法について説明する。ステップ７３において、乾燥された野菜の小片７７ａはそのまま香持餌５３となる。従って、ステップ７３からステップ７６に移行する。ステップ７６では、香持餌５３は直接網状の袋５２（又は袋６３）内に収納してナメクジ捕獲器５１，６１が製造される。
なお、ナメクジ捕獲器２１，２５、３１，４１の香持餌２３の代わりに香持餌５３を使用することもできる。
（実施の形態８）
図９は、実施の形態８におけるナメクジ捕獲器の設置説明図である。図９は、ナメクジ捕獲器２１，２５，３１，４１をナメクジ２４が寄りついて害を与える花壇８１の近傍であって、ナメクジ２４の通り道に設置したものである。このように設置して、大切な花壇８１の花をナメクジ２４の害から守ることができる。
また図示していないが、屋内であって、ナメクジ２４の出没するところ、例えば台所等に設置することもできる。この場合、室内であることがら長時間の設置においても湿気で香持餌２３が劣化することは少ない。
（実施の形態９）
図１０は、実施の形態９におけるナメクジ捕獲器の設置説明図である。図１０は、ナメクジ捕獲器５１，６１をナメクジ２４が寄りついて害を与える野菜畑８２の野菜７７の近傍であって、ナメクジ２４の通り道に設置する。このように設置することにより、大切な野菜７７をナメクジ２４の害から守ることができる。この場合、ナメクジ捕獲器６１を用いれば、野菜７７の間隔に応じて、適宜その長さを調整することができる。
また図示していないが、屋内であって、ナメクジ２４の出没するところ、例えば台所等に設置することもできる。この場合、室内であることがら長時間の設置においても湿気で香持餌５３が劣化することは少ない。
【産業上の利用可能性】  本発明にかかるナメクジ捕獲器は、例え、犬や猫等のペットが誤って食したとしても安全で、しかも低価格に実現することができる。従って、ナメクジを捕獲するナメクジ捕獲器として有用である。
【符号の説明】  ２１  ナメクジ捕獲器
２２  容器
２２ａ  開口（入口）
２３  香持餌
２４  ナメクジ
【図１】
2012005473.tif 000003
【図２】
2012005473.tif 000004
【図３】
2012005473.tif 000005
【図４】
2012005473.tif 000006
【図５】
2012005473.tif 000007
【図６】
2012005473.tif 000008
【図７】
2012005473.tif 000009
【図８】
2012005473.tif 000010
【図９】
2012005473.tif 000011
【図１０】
2012005473.tif 000012
【図１１】
2012005473.tif 000013
【図１２】
2012005473.tif 000014